(57)【要約】ハイブリッド自動反復要求のための装置と方法  同期および非同期ＨＡＲＱ割当スキームの両者を使用することを容易とするシステムおよび方法が記述される。いろいろな局面に従って、システムおよび方法は同期ＨＡＲＱまたは非同期ＨＡＲＱ割当スキームが資源割当を提供するために使用されねばならないかどうかを決定すること、および資源割当が同期ＨＡＲＱまたは非同期ＨＡＲＱ割当スキームを使用して提供されることを指示することについて記述される。
2009526443.tif 000002
【特許請求の範囲】
【請求項１】
ＨＡＲＱ割当を使用する方法であって、
同期ＨＡＲＱまたは非同期ＨＡＲＱ割当スキームが資源割当を提供するために使用されねばならないかどうかを決定すること、および
該資源割当が該同期ＨＡＲＱまたは非同期ＨＡＲＱ割当スキームを使用して提供されるかどうかを指示すること
を含む方法。
【請求項２】
該指示は受信器に信号で伝えられるインジケータを設定することを含む、請求項１記載の方法。
【請求項３】
該インジケータの該設定はインジケータビットを非同期ＨＡＲＱ割当について“１”に設定すること、および該インジケータビットを同期ＨＡＲＱ割当について“０”に設定することを含む、請求項２記載の方法。
【請求項４】
該ＨＡＲＱ割当について１周波数レンジを割り当てることをさらに含み、第１の周波数レンジは同期ＨＡＲＱ割当スキームについて割り当てられ、そして第２の周波数レンジは非同期ＨＡＲＱ割当スキームについて割り当てられる、請求項１記載の方法。
【請求項５】
該指示は同期および非同期ＨＡＲＱ割当スキームについて使用された該周波数レンジをブロードキャストチャネルを介して信号で伝えられることを含む、請求項４記載の方法。
【請求項６】
該指示はブロードキャストチャネル上で受信器に信号で伝えられるシングルビットを設定することを含む、請求項１記載の方法。
【請求項７】
もし割当オーバヘッドが閾値以上であるならば、該同期ＨＡＲＱ割当を使用することをさらに含む、請求項１記載の方法。
【請求項８】
もし割当オーバヘッドが閾値未満であるならば、該非同期ＨＡＲＱ割当を使用することをさらに含む、請求項１記載の方法。
【請求項９】
もし割当オーバヘッドが小さいならば、該非同期ＨＡＲＱ割当を使用することをさらに含む、請求項１記載の方法。
【請求項１０】
もし割当オーバヘッドが大きいならば、該同期ＨＡＲＱ割当を使用することをさらに含む、請求項１記載の方法。
【請求項１１】
該資源割当の断片部の間中、該非同期ＨＡＲＱ割当を使用することをさらに含む、請求項１記載の方法。
【請求項１２】
ＨＡＲＱ割当を使用する装置であって、
同期ＨＡＲＱまたは非同期ＨＡＲＱ割当スキームが資源割当を提供するために使用されねばならないかどうかを決定するための手段、そして
該資源割当が該同期ＨＡＲＱまたは非同期ＨＡＲＱ割当スキームを使用して提供されるかどうかを指示するための手段
を含む装置。
【請求項１３】
指示するための該手段は受信器に信号で伝えられるインジケータを設定するための手段を含む、請求項１２記載の装置。
【請求項１４】
該インジケータの設定のための該手段はインジケータビットを非同期ＨＡＲＱ割当について“１”に設定するための手段および該インジケータビットを同期ＨＡＲＱ割当について“０”に設定するための手段を含む、請求項１３記載の方法。
【請求項１５】
周波数レンジを割り当てることをさらに含み、第１の周波数レンジは同期ＨＡＲＱ割当スキームについて割り当てられ、そして第２の周波数レンジは非同期ＨＡＲＱ割当スキームについて割り当てられる、請求項１２記載の方法。
【請求項１６】
該指示は同期および非同期ＨＡＲＱ割当スキームについて使用された該周波数レンジをブロードキャストチャネルを介して信号で伝えられることを含む、請求項１５記載の方法。
【請求項１７】
指示するための該手段はブロードキャストチャネル上で受信器に信号で伝えられるシングルビットを設定するための手段を含む、請求項１２記載の装置。
【請求項１８】
もし割当オーバヘッドが閾値以上であるならば、該同期ＨＡＲＱ割当を使用するための手段をさらに含む、請求項１２記載の装置。
【請求項１９】
もし割当オーバヘッドが閾値未満であるならば、該非同期ＨＡＲＱ割当を使用するための手段をさらに含む、請求項１２記載の装置。
【請求項２０】
もしも割当オーバヘッドが小さいならば、該非同期ＨＡＲＱ割当を使用するための手段をさらに含む、請求項１２記載の装置。
【請求項２１】
もしも割当オーバヘッドが大きいならば、該同期ＨＡＲＱ割当を使用するための手段をさらに含む、請求項１２記載の装置。
【請求項２２】
該資源割当の断片部の間中該非同期ＨＡＲＱ割当を使用することをさらに含む、請求項１２記載の装置。
【請求項２３】
ＨＡＲＱ割当の予定を立てるための装置であって、
同期ＨＡＲＱまたは非同期ＨＡＲＱ割当スキームが資源割当を提供するために使用されねばならないかどうかを決定するように構成されたスケジューラ、および
該資源割当が該同期ＨＡＲＱまたは非同期ＨＡＲＱ割当スキームを使用して提供されるかどうかを指示するように構成された該スケジューラ
を含む装置。
【請求項２４】
コンピュータ可読媒体であって、
同期ＨＡＲＱまたは非同期ＨＡＲＱ割当スキームが資源割当を提供するために使用されねばならないかどうかを決定すること、そして
該資源割当が該同期ＨＡＲＱまたは非同期ＨＡＲＱ割当スキームを使用して提供されることを指示すること
を実行するためのコンピュータ実行可能な命令を蓄積したコンピュータ可読媒体。
【請求項２５】
ＨＡＲＱ割当を使用する方法であって
資源割当許可を受けること、および
該資源割当が同期ＨＡＲＱまたは非同期ＨＡＲＱ割当スキームを使用するかどうかを決定すること
を含む方法。
【請求項２６】
ＨＡＲＱ割当を使用する受信器であって、
資源割当許可を受けるためのプロセッサ、および
該資源割当が同期ＨＡＲＱまたは非同期ＨＡＲＱ割当スキームを使用するかどうかを決定するための該プロセッサ
を含む受信器。
【発明の詳細な説明】
【技術分野】
【０００１】
［関連出願に関する相互参照］
この特許出願は２００６年２月２日提出の、そしてハイブリッド自動反復要求のための装置と方法（ＡＮ  ＡＰＰＡＲＡＴＵＳ  ＡＮＤ  ＭＥＴＨＯＤ  ＨＹＢＲＩＤ  ＡＵＴＯＭＡＴＩＣ  ＲＥＰＥＡＴ  ＲＥＱＵＥＳＴ）と題された、米国仮出願番号第６０／７６５，２８７号の恩恵を主張する。この出願の全体は引用によってこの中に組み込まれる。
【背景技術】
【０００２】
Ｉ．分野
以下の説明は一般に無線通信に関し、そしてより詳しくは資源の割当を提供するためのスキームに関する。
【０００３】
ＩＩ．背景
無線通信システムは世界中の大部分の人々がそれによって通信するようになった広く認められる手段となった。無線通信装置は消費者の需要に合致し、携帯性および便利さを改善するためにより小型にそしてより強力になった。セルラ電話機のような移動体装置における処理能力の増加は無線ネットワーク伝送システム上の需要を増加に導いた。
【０００４】
（例えば、周波数、時、および符号分割技術を使用している）典型的な無線通信ネットワークは１カバレッジエリアを提供する１つまたはそれ以上の基地局、およびそのカバレッジエリア内でデータを送受信することができる１つまたはそれ以上の（例えば、無線）移動体端末を含む。典型的な基地局はブロードキャスト、マルチキャスト、および／またはユニキャストサービスのための複数のデータストリームを同時に送信することができ、ここにおいて１データストリームは１移動体端末に関心がある別々の受信でありうる１ストリームのデータである。この基地局のカバレッジエリア内の移動体端末は合成ストリームによって運ばれた１つ、１つ以上またはすべてのデータストリームを受信することに関心を示すことができる。同様に、移動体端末は基地局またはもう１つの移動体端末にデータを送信することができる。 
最も近代的なデータ通信システムはパケット伝送の信頼性を改善するためにしばしば自動反復要求（ＡＲＱ;Automatic Repeat Request）機構を使用する。パケット伝送のアックノリッジは低速フィードバックチャネルを使用して受信器から送信器に信号が送られる。ポジティブアックノリッジ（ＡＣＫ）は送信器に以前の送信が正しく受信されたことおよび受信器は新しいパケット伝送の準備ができていることを表す。これに反して、ネガティブアックノリッジ（ＮＡＫ）は以前に送信されたパケット内に誤りが発見されることおよび再送信が必要であることを示唆する。
【０００５】
一般に、２つのカテゴリのパケット結合テクニック：符号結合およびダイバーシティ結合がある。符号結合システムでは、サブパケットはだんだん長くなりそして低速になる符号からノイズ崩壊の符号語を形成するために連結される。符号結合技術の一例はタイプ２ハイブリッドＡＲＱ（Ｈ−ＡＲＱ;HybridＡＲＱ）プロトコルであり、ここで送信器は追加のパリティビットを受信器に送ることによって再送信要求に答える。受信器はこれらのビットを受信パケットに付加して、誤り訂正能力を増加させることを可能とする。ダイバーシティ結合システムでは、複数の、同じコピーのパケットからの個別的な記号が、もっと確かな構成要素の記号を有するシングルパケットを作り出すために結合される。
【０００６】
通信システム内でＨＡＲＱを実行するための２つの基本的な手法：同期および非同期がある。資源の割当についてシグナリングオーバヘッドを減らすために、このシステムは“同期ＨＡＲＱ”を使用することができ、そして“ややこしい”割当について支持を提供できる。同期ＨＡＲＱを用いて、継続的な再送信のための資源は個々には予定されないが、しかしむしろパケットに関連するすべての再送信のために割り当てられる。例えば、１組のホップポートの割当は１つのインターレースに当てる。異なるインターレース上の割当は別々であり、そしてアクセス端末は複数のインターレース上の資源を与えられることができる。非同期ＨＡＲＱについて、資源は個々に予定され、通常、新しい割当が各資源について送られる。各技術はある利点を有する。今日大部分のシステムは資源の割当について同期か非同期ＨＡＲＱを使用する。割当別の基準でＨＡＲＱのタイプを選択できる恩恵を被るであろう唯一のシステムの要求がある。
【発明の開示】
【０００７】
［概要］
以下はそのような局面の基本的な理解を提供するために１つまたはそれ以上の局面の単純化した概要を示す。この概要はすべての予期された局面の広範囲にわたる概観ではなく、そしてすべての局面の重要なまたは重大なエレメントを識別することもあるいは任意のまたはすべての局面の範囲の輪郭を示すことも意図しない。それの唯一の目的はあとで示されるより詳細な説明への前置きとして単純化した形式での１つまたはそれ以上の局面のいくつかの概念を示すことである。
【０００８】
１局面に従って、ＨＡＲＱ割当を使用することに関する方法は、下記を含む：同期ＨＡＲＱ（synchronous HARQ）または非同期ＨＡＲＱ割当スキーム（asynchronous HARQ assignment scheme）が資源割当を提供するために使用されねばならないかどうかを決定する；および資源割当が同期ＨＡＲＱまたは非同期ＨＡＲＱ割当スキームを使用して提供されるかどうかを指示する。
【０００９】
１局面に従って、ＨＡＲＱ割当を使用することに関する装置は、下記を含む：同期ＨＡＲＱまたは非同期ＨＡＲＱ割当スキームが資源割当を提供するために使用されねばならないかどうかを決定するための手段；および資源割当が同期ＨＡＲＱまたは非同期ＨＡＲＱ割当スキームを使用して提供されるかどうかを指示するための手段。
【００１０】
１局面に従って、ＨＡＲＱ割当を使用することに関する方法は、下記を含む：資源割当許可を受ける；および資源割当が同期ＨＡＲＱまたは非同期ＨＡＲＱ割当スキームを使用するかどうかを決定する。
【００１１】
前述のおよび関連する目的の達成のために、１つまたはそれ以上の局面は以降完全に記述され、そしてクレーム内に詳しく指摘された特徴を含む。以下の説明および添付された図面は１つまたはそれ以上の局面のある実例となる局面を詳細に述べる。しかしながら、これらの局面は、その中ではいろいろな局面の原理が使用されることができ、そしてそのような局面およびそれらの等価物のすべてを含むことを意味するいろいろな方法の２，３のみを示す。
【詳細な説明】
【００１２】
いろいろな実施形態がここで図面を参照して記述され、ここにおいて同じ参照数字は全体を通して同じエレメントを指すために使用される。以下の明細書では、説明の目的で、数多くの特別の詳細が１つまたはそれ以上の実施形態の徹底的な理解を提供するために示される。しかしながら、そのような実施形態がこれらの特別の詳細無しに実施されうることは明白であるだろう。他の事例では、周知の構造および装置は１つまたはそれ以上の実施形態を記述することを容易とするためにブロック図形式で示される。
【００１３】
この出願において使用されたように、術語“コンポーネント”、“モジュール”、“システム”、および同種のものはコンピュータ関連エンティティ、ハードウェア、ファームウェア、ハードウェアとソフトウェアとの組合わせ、ソフトウェアか、または実行中のソフトウェアを指すことを意味する。例えば、コンポーネントは、それであることに限定されないが、プロセッサ上で走行中の手順、プロセッサ、物体、実行可能なもの、実行の流れ、プログラム、および／またはコンピュータであってもよい。実例として、計算装置上で走行中のアプリケーションおよび計算装置の両者はコンポーネントであることができる。１つまたはそれ以上のコンポーネントは実行の手順および／または流れの中にあることができ、そして１コンポーネントは１つのコンピュータ上に属してもよく、および／または２つあるいはそれ以上のコンピュータ間に分配されてもよい。さらに、これらのコンポーネントは、その上に蓄積されたいろいろなデータ構造を有するいろいろなコンピュータ可読媒体から実行することができる。このコンポーネントは、１つまたはそれ以上のデータパケット（例えば、ローカルシステム、分布システム内のもう１つのコンポーネントと相互作用している１つのコンポーネントからの、および／または信号によって他のシステムとともにインターネットのようなネットワークを横切ったデータ）を有する信号に従うようなローカルおよび／またはリモート手順によって通信することができる。
【００１４】
さらに、いろいろな実施形態が移動体装置に関してこの中に記述される。移動体装置はまたシステム、加入者ユニット、加入者局、移動局、移動体、リモート局、リモート端末、アクセス端末、ユーザ端末、端末、無線通信装置、ユーザエージェント、ユーザ装置、またはユーザ機器（ＵＥ）とも呼ばれる。移動体装置はセルラ電話機、コードレス電話機、セッション開始プロトコル（ＳＩＰ）ホン、無線ローカルループ（ＷＬＬ）局、パーソナルディジタルアシスタント（ＰＤＡ）、無線接続能力を有する手持ち式装置、計算装置、あるいは無線モデムに接続された他の処理装置であってもよい。その上、いろいろな実施形態が基地局に関してこの中に記述される。基地局は移動体装置と通信するために使用されることができ、そしてまたアクセスポイント、ノードＢ、または何か他の術語で呼ばれてもよい。
【００１５】
さらに、この中に記述されたいろいろな局面または特徴は方法、装置、あるいは標準プログラミングおよび／または工学技術を使用している製造物品として実施されることができる。この中で使用されたような術語“製造物品”は任意のコンピュータ可読装置、キャリア、または媒体からアクセスできるコンピュータプログラムを含むことを意図している。例えば、コンピュータ可読媒体は磁気蓄積装置（例えば、ハードディスク、フロッピー（登録商標）ディスク、磁気ストリップ、等）、光ディスク（例えば、コンパクトディスク（ＣＤ）、ディジタルバーサタイルディスク（ＤＶＤ）等）、スマートカード、およびフラッシュメモリ装置（例えば、ＥＰＲＯＭ、カード、スティック、キードライブ、等）を含むことができるが、これに限定されない。そのうえ、この中に記述されたいろいろな蓄積媒体は情報を蓄積するための１つまたはそれ以上の装置および／または他の機械可読媒体を表すことができる。術語“機械可読媒体”は、それに限定されること無しに、無線チャネルおよび、命令および／またはデータを蓄積し、含み、および／または運ぶことができるいろいろな他の媒体を含むことができる。
【００１６】
ここで図１を参照して、無線通信環境内で最適なダウンリンク伝送を実施するシステム１００がいろいろな実施形態に従ってこの中に示される。基地局１０２は１つまたはそれ以上の移動体装置１０４と通信するように構成される。基地局１０２は集中および分配された伝送を多重化することを可能とし、そして基地局の能力に関する情報を受信する最適化コンポーネント１０６を含む。最適化コンポーネント１０６は周波数ダイバーシティが達成されて、伝送に関連するオーバヘッドコストが、検討されたインフラのような、いろいろなスキームによって軽減されるようなダウンリンク伝送を可能とする。認識されうるように、集中および分配伝送の多重化はいろいろなトラフィックサービス、ユーザ能力の順応を可能とし、そしてさらに１つまたはそれ以上の移動体装置１０４にチャネル特性を利用させる。さらに、例えば、１つまたはそれ以上の移動体装置１０４は基地局１０２で移動体装置能力に関連する情報、ダウンリンクチャネル条件の推定値、および加入者データを有する最適化コンポーネント１０６を供給できる。基地局１０２が高速対低速ユーザの割合を決定し、加入者データおよび移動体装置能力に関連する情報を蓄積できることも認識される。基地局１０２のそのような能力はさらに最適化コンポーネント１０６に周囲条件に従って最適な多重化スキームを選ばせることができる。
【００１７】
図２〜３を参照して、非同期および同期ＨＡＲＱシステムを使用することに関連する方法が図示される。一方、説明の簡略化のために、この方法は一連の動作として示されて記述され、この方法は、ある動作が、クレームされた主題の事柄に従って、この中に示されて記述されたことから他の動作と異なる順序でおよび／または同時に起こることができるように、その動作の順序によって限定されないことは理解されそして、認識されねばならない。例えば、この分野の技術者は、１方法が、状態図におけるような、一連の相関状態または事象としてかわりに表されることを理解し、そして認識するであろう。さらに、すべての示されていない動作はクレームされた主題の事柄に従って１方法を実施するために必要かもしれない。
【００１８】
明確に図２に引き返して、無線通信システム（例えば、ＯＦＤＭまたはＯＦＤＭＡシステム）の同じリンク内の同期および非同期ＨＡＲＱの使用を容易とする方法２００が図示される。この方法は２０２でスタートし、決定は無線通信資源を割り当てるために非同期ＨＡＲＱまたは同期ＨＡＲＱのいずれを使用すべきかに関してなされる。そのような決定は（例えば、送信器のスケジューラによって）必要とされる割当オーバヘッドをチェックすることによってなされることができる。例えば、割当オーバヘッド（assignment overhead;割当をユーザに伝えるために必要な資源の量）が有意に大きい（例えば、所定の閾値以上）割当のための同期ＨＡＲＱの使用。これは、単一の割当だけがすべての再送信のために必要なので、有利である。しかしながら、割当オーバヘッドが小さい（例えば、所定の閾値未満）、非同期ＨＡＲＱを使用することは、それが遅延を制御することにおいてより多くの柔軟性を、そして（チャネルが良好な時に送信することを選ぶ）マルチユーザダイバーシティにおいてより多くの柔軟性を可能にするので、有利である。さらに、同期ＨＡＲＱ割当は複数の再送信により持続するので、それらは（断片的な部分（fragmented portion）の間中資源が割り当てられない）断片的な部分を作り出している使用可能なエアインターフェイス資源を細分化するのに役立つことができる。１局面では、非同期割当は断片的な部分の間中使用できる資源を使用するために理想的であり、それによってそのような資源細分化のマイナスの効果と戦う。例えば、同期ＨＡＲＱを使用することによって細分化される部分の間、１つまたはそれ以上の非同期ＨＡＲＱが使用されてもよい。
【００１９】
もしも同期ＨＡＲＱの使用が望ましいならば、この方法は２０４に移動する。２０４で、同期ＨＡＲＱ割当が設定され、そして、インジケータを使用して、現在の割当が同期ＨＡＲＱであることを認める指示が設定される。例えば、送信器は割当が非同期または同期のいずれであるかを表示するためにシングルビットを使用して指示を提供できる。例えば、送信器は割当許可が同期ＨＡＲＱであることを受信器に示すためにシングルビットを“１”に設定してもよく、そして送信器は割当許可が非同期ＨＡＲＱであることを受信器に示すためにシングルビットを“０”に設定してもよい。シングルビットは割当許可メッセージの部分であるかあるいは別個に供給されてもよい。帯域幅次第で、割当が非同期または同期ＨＡＲＱのどこにあるかを指示するためにより多くのビットが使用されてもよい。いろいろな他の方法が、上述されたように、例えば同期ＨＡＲＱ割当のために割り当てられた周波数レンジを使用したＨＡＲＱのタイプについて受信器に供給するために使用されてもよい。１局面では、送信器および受信器は指示を提供するために使用された方法を知るように構成される。
【００２０】
もしも非同期ＨＡＲＱの使用が望ましいならば、この方法は２０６に移動する。２０６で、非同期ＨＡＲＱ割当が設定され、そして、現在の割当が非同期ＨＡＲＱであることを提供する、インジケータを使用して、指示が設定される。例えば、送信器は割当許可が非同期ＨＡＲＱであることを受信器に指示するためにシングルビットを“０”に設定してもよい。
【００２１】
１局面では、資源は所定の周波数レンジ内のおよび／または所定の時間の持続期間中の割当の位置に基づいて割り当てられることができる。例えば、スケジューラは同期ＨＡＲＱ割当について第１の周波数を割り当て、そして非同期ＨＡＲＱ割当について第２の周波数を割り当てることができる。この局面では、同期または非同期ＨＡＲＱについて割り当てられた周波数は、割当のタイプまたは割当の持続期間のような、いろいろな基準に基づいて前もって決定されることができる。１局面では、（同期および非同期の）いずれのタイプのＨＡＲＱ割当が使用されるかの指示はその資源を割り当てるために使用された周波数レンジを信号で伝えることによって端末に提供されることができる。あるいは、周波数レンジへのＨＡＲＱ割当のタイプのマッピングは資源の割当に先立って提供されまたは知られることができる。例えば、アクセス端末が資源の割当を提供するであろう基地局で登録する時に、このマッピングは提供される。また、同期または非同期のために使用された時間および周波数レンジの指示は全アクセス端末に放送されるかまたは特定のアクセス端末に提供されることができる。
【００２２】
２０８で、ユーザはこのシステムによって使用された割当のタイプの指示と一緒に割当許可を信号で伝えられる。１局面では、放送チャネルはこのシステムによって使用された割当のタイプの指示を提供するために使用されることができる。例えば、指定されたビットは割当許可を分離する放送チャネル上に設定されそして放送されることができる。
【００２３】
ここで図３を参照して、無線通信システム内で割当許可を受信することを容易とする１例の方法３００が図示される。この方法は３０２で始まり、資源割当許可信号が受信される。３０４では、割当は同期または非同期ＨＡＲＱ割当のいずれであるか決定がなされる。例えば、１部分の割当許可メッセージは抽出された部分によって表された値を決定するために抽出されることができる。１局面では、このシングルビットが抽出されて分析される。３０６では、受信器は、割当が同期または非同期ＨＡＲＱ割当のいずれであったかの、この分析された情報を後で使用するためのメモリ内に蓄積する。
【００２４】
ここで図４を参照して、この中に示されたいろいろな実施形態に従う無線通信システム４００が図示される。システム４００は無線通信信号を相互におよび／または１つまたはそれ以上の移動体装置４０４に受信、送信、反復等をする１つまたはそれ以上のセクタ内に１つまたはそれ以上の基地局４０２（例えば、アクセスポイント）を含むことができる。各基地局４０２は送信器チェーンおよび受信器チェーンを含むことができ、その各々は順番に、この分野の技術者によって認識されるであろうように、信号送受信と関連する複数のコンポーネント（例えば、プロセッサ、変調器、マルチプレクサ、復調器、デマルチプレクサ、アンテナ、…）を含むことができる。移動体装置４０４は、例えば、セルラホン、スマートホン、ラップトップ、手持ち式通信装置、手持ち式計算装置、衛星ラジオ、グローバルポジショニングシステム、ＰＤＡ、および／または無線通信システム４００上で通信するための任意の他の適切な装置であることができる。
【００２５】
基地局４０２はＯＦＤＭまたはＯＦＤＭＡ技術を使用することによって移動体装置４０４に内容を放送することができる。ＯＦＤＭのような技術に基づいた周波数分割は典型的に周波数スペクトルを別個のチャネルに分離する；例えば、周波数スペクトルは均等なかたまりの帯域幅（周波数レンジ）に分割されることができる。ＯＦＤＭは全体のシステム帯域幅を複数の直交周波数チャネルに効果的に区切る。周波数チャネルは、システム条件次第で、同期または非同期ＨＡＲＱ割当を使用できる。そのうえ、ＯＦＤＭシステムは複数の基地局４０２について複数のデータ伝送間の直交性を達成するために時間および／または周波数分割多重化を使用できる。
【００２６】
ここで図５を参照して、最適なダウンリンク伝送を容易とするシステム５００が図示される。システム５００は同期ＨＡＲＱまたは非同期ＨＡＲＱ割当スキームが資源割当を提供するために使用されねばならないかどうかを決定するためのモジュール５０２を含むことができる。システム５００はまた資源割当が同期ＨＡＲＱまたは非同期ＨＡＲＱ割当スキームのどちらを使用して提供されるかを指示するためのモジュール５０４を含むこともできる。モジュール５０２および５０４はプロセッサまたは任意の電子装置であってもよい。
【００２７】
図６はこの中に述べられた１つまたはそれ以上の局面に従って無線通信環境内で他のセクタ通信を提供する端末またはユーザ装置６００の実例である。端末６００は、例えば１つまたはそれ以上の受信アンテナで信号を受信し、そしてこの受信信号に特有の動作（例えば、フィルタ、増幅、ダウンコンバート、等）を実行し、そしてサンプルを得るために適合した信号をディジタル化する。復調器６０４はこのサンプルを復調して、受信パイロット記号をプロセッサ６０６に供給する。
【００２８】
プロセッサ６０６は受信器コンポーネント６０２によって受信された情報を分析することにおよび／または送信器６１４による送信用の情報を発生することに専用のプロセッサであってもよい。プロセッサ６０６は端末６００の１つまたはそれ以上のコンポーネントを制御するプロセッサ、および／または受信器６０２によって受信された情報を分析し、送信器６１４による送信用の情報を発生し、そして端末６００の１つまたはそれ以上のコンポーネントを制御するプロセッサであってもよい。プロセッサ６０６は、図２〜３に関して記述されたことを含み、この中に記述された方法のいずれかを使用することができる。
【００２９】
その上、端末６００は、成功した送信のアックノリッジを含み、受信入力を分析する送信制御コンポーネント６０８を含むことができる。アックノリッジ（ＡＣＫ）はサービス中のセクタおよび／または隣接セクタから受信されることができる。アックノリッジは以前の送信が成功裡に受信され、そしてアクセスポイントの１つによって復号されたことを示すことができる。もしもアックノリッジが受信されなければ、あるいはネガティブアックノリッジ（ＮＡＫ）が受信されれば、送信は再送されることができる。送信制御コンポーネント６０８はプロセッサ６０６内に組み込まれてもよい。送信制御コンポーネント６０８はアックノリッジの受信を決定することに関して分析を実行する送信制御符号を含むことができることは認識されねばならない。
【００３０】
端末６００はそのうえメモリ６１０を含むことができ、これは有効に作用するようにプロセッサ６０６に連結され、そしてこれは伝送に関連する情報、アクティブセットのセクタ、伝送を制御するための方法、それに関連する情報を含むルックアップテーブル、および伝送とこの中に記述されたアクティブセットのセクタとに関連する任意の他の適切な情報を蓄積することができる。この中に記述されたデータ蓄積（例えば、メモリ）コンポーネントは揮発性メモリまたは不揮発性メモリのいずれかであることができ、あるいは揮発性と不揮発性メモリとの両方を含むことができることは認識されるであろう。実例によって、そして限定することなく、不揮発性メモリは読出し専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、またはフラッシュメモリを含むことができる。揮発性メモリはランダムアクセスメモリ（ＲＡＭ）を含むことができ、それは外部キャッシュメモリとして動作する。実例によってそして限定することなく、ＲＡＭはシンクロナスＲＡＭ（ＳＲＡＭ）、ダイナミックＲＡＭ（ＤＲＡＭ）、シンクロナスＤＲＡＭ（ＳＤＲＡＭ）、２重データレートＳＤＲＡＭ（ＤＤＲ  ＳＤＲＡＭ）、強化ＳＤＲＡＭ（ＥＳＤＲＡＭ）、同期リンクＤＲＡＭ（ＳＬＤＲＡＭ）、およびダイレクトランバスＲＡＭ（ＤＲＲＡＭ）のような多くの形式で使用可能である。主題のシステムおよび方法のメモリ６１０は、それに制限されずに、これらのおよび任意の他の適切なタイプのメモリを備えることを意味する。プロセッサ６０６は記号変調器６１２および変調された信号を送信する送信器６１４に接続される。
【００３１】
図７はいろいろな局面に従って通信環境内での他のセクタ通信を容易とするシステム７００の実例である。システム７００は１つまたはそれ以上の受信アンテナ７０６により１つまたはそれ以上の端末７０４から信号を受信し、そして複数の送信アンテナ７０８により１つまたはそれ以上の端末７０４に送信する受信器７１０を有するアクセスポイント７０２を含む。端末７０４は隣接セクタによってサポートされる端末７０４と同様に、アクセスポイント７０２によってサポートされるこれらの端末を含むことができる。１つまたはそれ以上の局面では、受信アンテナ７０６と送信アンテナ７０８とは単一セットのアンテナを使用して実施されることができる。受信器７１０は受信アンテナ７０６から情報を受信することができ、そして受信された情報を復調する復調器７１２と有効に作用するように提携する。受信器７１０は、例えば、レーキ受信器（例えば、複数のベースバンド相関器を使用してマルチパス信号コンポーネントを個別に処理する技術、…）、ＭＭＳＥベースの受信器、あるいはこの分野の技術者によって認識されるであろうような、それに割り当てられた端末を分離するための何か他の適切な受信器であってもよい。いろいろな局面に従って、複数の受信器が（例えば、受信アンテナ当たり１個）使用されることができ、そしてそのような受信器はユーザデータの改善された推定値を供給するために互いに通信することができる。復調された記号は図６に関して上述されたプロセッサと同種であるプロセッサ７１４によって分析され、そして端末に、端末および同種のものと関連する割り当てられた資源に関連する情報を蓄積するメモリ７１６に連結される。各アンテナについての受信器出力は受信器７１０および／またはプロセッサ７１４によって一緒に処理されることができる。変調器７１８は送信アンテナ７０８を介した端末７０４への送信器７２０による送信用の信号を多重化することができる。
【００３２】
アクセスポイント７０２はさらに端末通信コンポーネント７２２を具備し、それはプロセッサ７１４と別個の、あるいはそれと一体化のプロセッサであってもよい。端末通信コンポーネント７２２は隣接セクタによってサポートされた端末について資源割当情報を得ることができる。そのほかに、端末通信コンポーネント７２２はアクセスポイント７０２によってサポートされた端末についての割当情報を隣接セクタに供給することができる。割当情報はバックホールシグナリングにより供給されることができる。
【００３３】
割り当てられた資源に関する情報に基づいて、端末通信コンポーネント７２２は、受信された伝送の復号化と同様に、隣接セクタによってサポートされた端末からの伝送の検出を指示することができる。メモリ７１６はパケットの復号化のために必要な割当情報の受信に先立って端末から受信されたパケットを保持することができる。端末通信コンポーネント７２２はまた伝送の成功裡の受信および復号化を示すアックノリッジの送受信を制御することもできる。端末通信コンポーネント７２２が資源を割り当てること、ソフトハンドオフのための端末を識別すること、伝送を復号化することおよびその他同種類のものに関してユーティリティベースの制御を実行する伝送分析符号を含むことができることは認識されねばならない。端末分析符号は端末性能を最適化することに関する推論および／または確率的決定および／または統計ベースの決定を実行することに関する人工知能ベースの方法を使用することができる。
【００３４】
図８は例示的な無線通信システム８００を示す。無線通信システム８００は簡潔にするために１つの端末と２つのアクセスポイントとを描写する。しかしながら、このシステムが１つまたはそれ以上のアクセスポイントおよび／または１つ以上の端末を含むことができることは認識されるべきであり、ここにおいて追加のアクセスポイントおよび／または端末は下に記述される例示的なアクセスポイントおよび端末と本質的に同種または異種であることができる。そのうえ、アクセスポイントおよび／または端末がこの中に記述されたシステム（図１，４〜７）および／または方法（図２〜３）を使用できることは認識されるべきである。
【００３５】
図８は端末８０４、端末８０４をサポートする多重アクセスマルチキャリアシステム８００内のサービス中のアクセスポイント８０２Ｘおよび隣接アクセスポイント８０２Ｙを示す。アクセスポイント８０２Ｘでは、送信（ＴＸ）データプロセッサ８１４はデータ源８１２からトラフィックデータ（即ち、情報ビット）およびシグナリングを、そしてコントローラ８２０とスケジューラ８３０とから他の情報を受信する。例えば、スケジューラ８３０は端末についてキャリアの割当を供給できる。そのうえ、メモリ８２２は現在のおよび以前の割当に関する情報を保持できる。ＴＸデータプロセッサ８１４は被変調データ（例えば、ＯＦＤＭ記号）を供給するためにマルチキャリア変調（例えば、ＯＦＤＭ）を使用している受信データを符号化して変調する。送信器ユニット（ＴＭＴＲ）８１６はその後アンテナ８１８から送信されるダウンリンク被変調信号を発生するためにこの被変調データをその後処理する。
【００３６】
端末８０４への割当情報の送信に先立って、スケジューラはアクセスポイント８０２Ｙに割当情報を供給することができる。この割当情報はバックホールシグナリング（例えば、Ｔ１ライン）８１０によって供給されることができる。あるいは、割当情報は端末８０４への送信の後でアクセスポイント８０２Ｙに供給されることができる。
【００３７】
端末８０４では、伝送されそして変調された信号はアンテナ８５２によって受信されて、受信器ユニット（ＲＣＶＲ）８５４に供給される。受信器ユニット８５４はサンプルを供給するために受信信号を処理してディジタル化する。受信（ＲＸ）データプロセッサ８５６はその後、再生されたトラフィックデータ、メッセージ、シグナリング、等を含みうる、復号データを供給するためにこのサンプルを復調して復号する。トラフィックデータはデータシンク８５８に供給されることができ、そして端末８０４についてのキャリア割当情報はコントローラ８６０に供給される。
【００３８】
コントローラ８６０は端末８０４に割り当てられ、そして受信キャリア割当内に示された特定のキャリアを使用しているアップリンク上のデータ伝送を指示する。メモリ８６２は割り当てられた資源に関する情報（例えば、周波数、時間および／または符号）および他の関連情報を保持することができる。
【００３９】
端末８０４について、ＴＸデータプロセッサ８７４はデータ源８７２からトラフィックデータを、そしてコントローラ８６０からシグナリングおよび他の情報を受信する。いろいろなタイプのデータは割り当てられたキャリアを使用しているＴＸデータプロセッサ８７４によって符号化および変調され、そしてさらにその後アンテナ８５２から送信されるアップリンク被変調信号を発生するように送信器ユニット８７６によって処理される。
【００４０】
アクセスポイント８０２Ｘおよび８０２Ｙでは、端末８０４から送信された被変調信号はアンテナ８１８によって受信され、受信器ユニット８３２によって処理され、そしてＲＸデータプロセッサ８３４によって復調および復号化される。送信された信号はサービス中のアクセスポイント８０２Ｘによって発生された割当情報に基づいて復号化されて、隣接アクセスポイント８０２Ｙに供給されることができる。さらに、アクセスポイント８０２Ｘおよび８０２Ｙは他のアクセスポイント（８０２Ｘおよび８０２Ｙ）および／または端末８０４に供給されることができるアックノリッジ（ＡＣＫ）を発生できる。復号化された信号はデータシンク８３６に供給されることができる。受信器ユニット８３２は各端末についての受信信号品質（例えば、受信された信号対雑音比（ＳＮＲ））を評価し、そしてこの情報をコントローラ８２０に供給できる。ＲＸデータプロセッサ８３４は各端末についての受信フィードバック情報をコントローラ８２０およびスケジューラ８３０に供給する。
【００４１】
スケジューラ８３０は（１）逆方向リンク上のデータ伝送のための１組の端末を選択することおよび（２）この選択された端末にキャリアを割り当てることのような多数の機能を実行するためにフィードバック情報を使用する。予定される端末についてのキャリア割当はその後これらの端末への順方向リンク上に送信される。
【００４２】
この中に記述された技術はいろいろな手段によって実行されることができる。例えば、これらの技術はハードウェア、ソフトウェア、あるいはそれの組合わせにおいて実施されることができる。ハードウェアの実施の形態に関して、これらの技術のための処理ユニット（例えば、コントローラ８２０および８６０、ＴＸおよびＲＸプロセッサ８１４および８３４、等）は１つまたはそれ以上の特定用途向け集積回路（ＡＳＩＣ）、ディジタル信号プロセッサ（ＤＳＰ）、ディジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、この中に記述された機能を実行するように設計された他の電子ユニット、あるいはそれの組合わせの内部で実施されることができる。
【００４３】
ソフトウェアの実施の形態に関して、この中に記述された技術はこの中に記述された機能を実行するモジュール（例えば、手順、機能、等）で実施されることができる。ソフトウェア符号はメモリユニット内に蓄積され、そしてプロセッサによって実行されることができる。メモリユニットはプロセッサ内あるいはプロセッサへの外部で実施されることができ、その場合にはそれは、この分野において知られるようないろいろな手段によりプロセッサに通信的に連結されてもよい。
【００４４】
上述されたことは１つまたはそれ以上の局面の実例を含む。もちろん、前述の局面を記述するためにコンポーネントおよび方法のあらゆる考えられる組合わせを記述することはできないが、しかしこの分野の通常の技術者はいろいろな局面の多くのさらなる組合わせおよび置換が可能であることを認識できる。よって、記述された局面は添付のクレームの精神および範囲内に含まれるすべてのそのような変更、修正および変動を包含することを意味する。なお、術語“含む(includes)”が詳細な説明またはクレームのいずれかの中で使用される限り、そのような術語は、“含む(comprising)”がクレーム内で過渡的な単語として使用された時に理解されるような術語“含む(comprising)”と同様な手法内に含めることを意味する。
【図面の簡単な説明】
【００４５】
【図１】無線通信環境内で最適なダウンリンク伝送を実施する１例のシステムを示す図。
【図２】無線通信システム内のアクセスポイントによって使用された１タイプのシステムを容易とする１例の方式を示す図。
【図３】無線通信システム内のアクセス端末によって使用された１タイプのシステムを容易とする１例の方式を示す図。
【図４】この中に述べられたいろいろな局面に従って無線通信システムを示す図。
【図５】移動体装置の能力による多重化ダウンリンク伝送を容易とするシステムを示すブロック図。
【図６】この中に示された１つまたはそれ以上の局面に従って他のセクタ通信を供するシステムを示す図。
【図７】この中に示された１つまたはそれ以上の局面に従って端末の非動作中セクタでの逆方向リンク通信を供するシステムを示す図。
【図８】この中に記述されたいろいろなシステムおよび方法とともに使用されることができる無線通信環境を示す図。
【図１】
2009526443.tif 000003
【図２】
2009526443.tif 000004
【図３】
2009526443.tif 000005
【図４】
2009526443.tif 000006
【図５】
2009526443.tif 000007
【図６】
2009526443.tif 000008
【図７】
2009526443.tif 000009
【図８】
2009526443.tif 000010
【国際調査報告】
2009526443.tif 000011
2009526443.tif 000012
2009526443.tif 000013